(57)【要約】【課題】光源との角度に応じて観察される画像が変化する、真偽判別性に優れ、かつ生産性に優れた情報担持体を提供する。【解決手段】紙やカード等の基材の一表面上の印刷領域に、基材と異なる色を有する金属光沢インキによって第１の印刷画像を形成し、前記第１の印刷画像全面を覆う形で虹彩色パール顔料を含む透明インキによって第２の画像を形成することで、拡散反射が支配的な観察角度領域では第１の画像のみが視認され、正反射光が支配的な観察角度領域では第２の画像のみが視認されることを特徴とする情報担持体を提供する。【選択図】  図１
2010017925.tif 000002
【特許請求の範囲】
【請求項１】
基材と、
前記基材上の一表面上の印刷画像領域全面に、前記基材と異なる色を有する光輝性材料によって形成された第１の画像と、
前記印刷画像領域全面にカラーフリップフロップ性を備えた材料を含む透明性材料によって形成された第２の画像を備え、
前記第２の画像は、前記第１の画像の上に重ねて配置され、
前記第１の画像は、面積率５０％以上１００％以下の範囲で形成されており、
前記第２の画像は、面積率５０％以上１００％以下の範囲で形成されていることを特徴とすることを特徴とする情報担持体。
【請求項２】
前記第１の画像は、画像部と背景部から構成されており、前記画像部は、前記背景部との面積率の差が１０％以上５０％以下であることを特徴とする請求項1記載の情報担持体。
【請求項３】
前記第１の画像は、階調表現された多階調画像であることを特徴とする請求項１記載の情報担持体。
【請求項４】
前記第２の画像は、画像部と背景部から構成されており、前記画像部と、前記背景部との面積率の差が２５％以上５０％以下であることを特徴とする請求項１乃至３のいずれか1項記載の情報担持体。
【請求項５】
前記基材上の一表面上の印刷画像領域全面に、前記基材と異なる色を有する光輝性材料によって形成された第１の画像と、
前記印刷画像領域全面にカラーフリップフロップ性を備えた材料を含む透明性材料によって形成された第２の画像を備え、
前記第２の画像は、前記第１の画像の上に重ねて配置され、
前記第１の画像は、面積率２５％以上１００％以下の範囲で形成されており、
前記第２の画像は、画像部と背景部の少なくとも二つの画像領域に区分けされ、
前記第２の画像を構成する画像部と、前記第２の画像を構成する背景部が、共に面積率１００％により形成され、
前記第２の画像の画像部を構成するカラーフリップフロップ性を備えた材料を含む第１の透明性材料の干渉色と、
前記第２の画像の背景部を構成するカラーフリップフロップ性を備えた材料を含む第２の透明性材料の干渉色とが異なる色であることを特徴とする情報担持体。
【請求項６】
前記第１の画像が、画像部と背景部から構成されており、前記画像部と、前記背景部との面積率の差が２５％以上７５％以下であることを特徴とする請求項５記載の情報担持体。
【請求項７】
前記第２の画像を構成するカラーフリップフロップ性を備えた材料を含む透明性材料が印刷用インキであり、前記カラーフリップフロップ性を備えた材料が、虹彩色パール顔料、鱗片状顔料、鱗片状マイカ顔料、鱗片状金属顔料、ガラスフレーク顔料、コレステリック液晶顔料の少なくとも一つを含むことを特徴とする請求項１乃至６のいずれか1項記載の情報担持体。
【請求項８】
前記印刷用インキに含まれる虹彩色パール顔料、鱗片状顔料、鱗片状マイカ顔料、鱗片状金属顔料、ガラスフレーク顔料、コレステリック液晶顔料の配向性を向上させるために、顔料表面に撥水性及び撥油性を持たせる表面処理が施されていることを特徴とする請求項７に記載の情報担持体。
【発明の詳細な説明】
【技術分野】
【０００１】
本発明は、偽造防止効果を必要とするセキュリティ印刷物である銀行券、パスポート、有価証券、身分証明書、カード及び通行券等の貴重印刷物の分野において、特に、観察角度の変化によって視認できる画像が変化する効果を付与した偽造防止用又は真偽判別用の情報担持体に係るものである。
【背景技術】
【０００２】
近年、セキュリティを要する貴重印刷物等には、新しい意匠性を持ち、かつ、偽造防止効果の高い偽造防止要素及び印刷技術が望まれている。そのため、干渉マイカ、酸化フレークマイカ、顔料コートアルミニウムフレーク及び光学的変化フレーク等の特殊な光反射性粉体をインキや塗料に配合することで、観察角度によって色彩変化を生じさせるカラー・フリップフロップ性に優れた印刷物又は観察角度によって画像が変化するホログラム等の光学的なセキュリティ要素を貼付したものが多く存在するようになった。
【０００３】
前述のような光学的な変化を示す偽造防止印刷物は、一般的に高価で特殊な装置及び材料を必要とするため、付加的な製造工程が必要になり、コスト的にも負荷が高くなるといった問題があった。
【０００４】
そこで、本出願人は、以上のような問題点を解決するために、一般的で、かつ、比較的安価な材料及び簡単な印刷手段を使用し、特定の観察角度において、人の目に認識される情報が観察角度を変化させることによってまったく別の情報に変化する偽造防止用情報担持体に係る発明を出願している（例えば、特許文献１参照）。
【０００５】
この特許文献１による偽造防止用情報担持体は、汎用の安価なアルミニウム粉末又は真鍮粉末を成分とした市販の銀色又は金色インキを用いて、一般的な印刷手段により、ホログラム的な効果を呈するセキュリティ画像を直接的に印刷物の基材に付与する構成を特徴とし、コストパフォーマンス並びに機械的な流通強度が優れた偽造防止及び真偽判別印刷物である。
【０００６】
この特許文献１で開示された偽造防止用情報担持体は、一つ目の効果として、基材上に適切な面積の疎密差を持つ二つの光輝性材料層により第１の画像が形成されているとき、拡散光が支配的な観察領域においては、二つの光輝性材料層の両者から観察者の目に到達する反射光量が互いに小さくなるため、第１の画像を容易に認識することが可能になる。一方、正反射光が支配的な観察角度領域では、二つの光輝性材料層の両者から観察者の目に到達する反射光量が、共に極端に大きくなるため、この観察条件下では第１の画像を視認することが難しくなる。
【０００７】
さらに、特許文献１で開示された偽造防止用情報担持体は、二つ目の効果として、前述した面積率の極めて密な光輝性材料層に形成された第１の画像と、その光輝性材料に比較して可視光吸収性の高い色材料を用いて形成された面積率の極めて疎な色材料層を重ねた層による第２の画像は、拡散光が支配的な観察角度領域において、観察者の目に到達する反射光量が互いに小さくなる。そのため、構成成分は異なっているが、二つの層からの色調及び明度の差を視認することが難しく、同じ程度の刺激として人の目に観察されるため、第２の画像は視認できない。
【０００８】
一方、正反射光が支配的な観察角度領域では、光輝性材料のみの層から観察者の目に到達する反射光量が極端に大きくなるのに対して、可視光吸収性の高い色材料を光輝性材料層に重ねた層から観察者の目に到達する反射光量は相対的に小さくなるため、反射光量の差による色調差によって、第２の画像を容易に視認することが可能になる。
【０００９】
また、本出願人は、平面配向性パール顔料を用いた盛り上がりのある画線を形成し、背景画像部とメッセージ画像部で画線角度を異なる構成とすることで、斜めから観察した場合にのみ、メッセージ画像部がポジからネガへ、又はネガからポジへ、変化して出現する効果を有する真偽判別可能な印刷物に関わる発明を出願している（例えば、特許文献２、特許文献３参照）。
【００１０】
特許文献２及び特許文献３で開示された真偽判別可能な印刷物は、基材の表面に盛り上がりのある画線構造によって、背景画像とメッセージ画像が形成され、かつ、背景画像の画線パターンとメッセージ画像の画線パターンは、異なる角度で形成されるために、拡散反射光が支配的な角度領域においては、前述のメッセージ画像が肉眼にほとんど視認されず、拡散反射光から正反射光が支配的な角度領域に変化するに従って、盛り上がりを有する背景画像とメッセージ画像が、入射光に対してそれぞれ異なった光の反射を成す構造となることから、前述のメッセージ画像がネガ画像又はポジ画像として視認される効果を有する。
【００１１】
【特許文献１】特許第３３９８７５８号公報
【特許文献２】特許第３７１８７１２号公報
【特許文献３】特開２００８−１２００７８号公報
【発明の開示】
【発明が解決しようとする課題】
【００１２】
しかしながら、特許文献１による発明は、二つの効果を重ね合わせることで、拡散光が支配的な観察角度領域においては第１の画像が視認でき、正反射光が支配的な観察角度領域においては第２の画像を確認できる偽造防止情報担持体を形成できるが、第１の画像を構成している光輝性材料層と、第２の画像を構成している色材料層を、同一ピッチで精密に刷り合わせる必要がある。したがって、第１の画像と第２の画像の刷り合わせを、常に適正な精度に管理しながら製造することが必要である。
【００１３】
また、特許文献１記載の偽造防止情報担持体を形成するためには、第１の画像を構成する光輝性材料層と、第２の画像を構成している色材料層が、拡散光が支配的な観察角度領域において同色（近似色）に見えるような適切な面積の疎密差を見極めなければならない。それには、可視光吸収性の高い色材料の色彩の種類と面積率を何通りにも変えて印刷し、第１の画像から第２の画像へ最適なスイッチ性が得られるような、可視光吸収性の高い色材料の色彩と面積率を見極めるまでに、多大な労力を必要とする。
【００１４】
特許文献２記載の真偽判別可能な印刷物は、斜めから観察した場合に、メッセージ部が光の入射角度に応じてネガ画像からポジ画像又はポジ画像からネガ画像に変化して出現し、真上から観察した場合には、メッセージ画像が消失する効果があるが、メッセージ画像以外の第２の画像を認識させるものではなかった。
【００１５】
また、特許文献３記載の真偽判別可能な印刷物において、特許文献２の印刷物の構造を用いて、観察者にメッセージ画像と相関のない有意画像を視認させるためには、盛り上がりを有する画線を印刷する前に、あらかじめL＊a＊b＊表色系でL＊が９０以上の印刷画像となるような低濃度のインキで有意画像を形成しておく必要があった。また、前述の低濃度の有意画像と盛り上がりを有する画線によるメッセージ画像を鮮明にスイッチさせるために、メッセージ画像が視認される観察領域において有意画像が視認されてはならず、そのためには、有意画像は、明度が高い（淡い）画像とする必要があり、有意画像の視認性を低く抑える必要があった。
【００１６】
本発明は、以上のような課題を解決するもので、一般的で比較的安価な材料及び印刷方式を用い、大量生産も容易である。また、人の目に認識される画像情報が、観察角度を変化させることによって、別の画像情報に変化するため、カラー複写機では再現不可能な偽造防止情報担持体を提供するものである。
【課題を解決するための手段】
【００１７】
本発明は、基材上の一表面上の印刷画像領域全面に、基材と異なる色を有する光輝性材料によって形成された第１の画像と、印刷画像領域全面にカラーフリップフロップ性を備えた材料を含む透明性材料によって形成された第２の画像を備え、第１の画像の上に第２の画像を形成することを特徴とする情報担持体である。
【００１８】
本発明は、第１の画像が、面積率５０％以上１００％以下の範囲で形成されていることを特徴とする情報担持体である。
【００１９】
本発明は、第１の画像が、画像部と背景部から構成されており、画像部と、背景部との差が１０％以上５０％以下であることを特徴とする情報担持体である。
【００２０】
本発明は、第１の画像が、５０％〜１００％の範囲内で階調表現された多階調画像であることを特徴とする情報担持体である。
【００２１】
本発明は、第２の画像が、面積率５０％以上１００％以下の範囲で形成されていることを特徴とする情報担持体である。
【００２２】
本発明は、第２の画像が、画像部と背景部から構成されており、画像部は、背景部との差が２５％以上５０％以下であることを特徴とする情報担持体である。
【００２３】
本発明は、第２の画像が、画像部と背景部の少なくとも二つの画像領域に区分けされており、画像部を構成するカラーフリップフロップ性を備えた材料を含む第１の透明性材料の干渉色と、背景部を構成するカラーフリップフロップ性を備えた材料を含む第２の透明性材料の干渉色とが異なる色であることを特徴とする情報担持体である。
【００２４】
本発明は、第２の画像の画像部と、背景部の干渉色の異なる場合において、第２の画像を構成する画像部と、前記第２の画像を構成する背景部の面積率が、共に１００％であることを特徴とする情報担持体である。
【００２５】
本発明は、第２の画像の画像部と、背景部の干渉色の異なる場合において、第１の画像が、面積率２５％以上１００％以下の範囲で形成されていることを特徴とする情報担持体である。
【００２６】
本発明は、第２の画像の画像部と、背景部の干渉色の異なる場合において、第１の画像が、画像部と背景部から構成されており、画像部と、背景部との差が２５％以上７５％以下であることを特徴とする情報担持体である。
【００２７】
本発明は、第２の画像を構成するカラーフリップフロップ性を備えた材料を含む透明性材料が印刷用インキであり、カラーフリップフロップ性を備えた材料が、虹彩色パール顔料、鱗片状顔料、鱗片状マイカ顔料、鱗片状金属顔料、ガラスフレーク顔料、コレステリック液晶顔料の少なくとも一つを含むことを特徴とする情報担持体である。
【００２８】
本発明は、第２の画像の印刷用インキに含まれる虹彩色パール顔料、鱗片状顔料、鱗片状マイカ顔料、鱗片状金属顔料、ガラスフレーク顔料、コレステリック液晶顔料の配向性を向上させるために、顔料表面に撥水性及び撥油性を持たせる表面処理が施されていることを特徴とする情報担持体である。
【発明の効果】
【００２９】
本発明は、以上の構成であることから次の効果が生じる。
本発明の偽造防止用情報担持体を可視光下で観察した場合、拡散反射光が支配的な観察角度領域では、画線の太細や画線の粗密による面積率の差異で形成された第１の画像のみが視認でき、正反射光が支配的な観察角度領域では第１の画像上に虹彩色パールインキを含む透明な材料で重ねて形成された第２の画像のみが視認できる。
【００３０】
本発明における偽造防止情報担持体は、メタリックインキと虹彩色パール顔料を含む透明なインキで印刷して画像を形成することから、正反射光が支配的な観察角度領域において虹彩色パール顔料の干渉による極めて大きな色相変化が生じることから、観察される潜像画像にも鮮やかな色相を付与することが可能となった。
【００３１】
本発明は、第２の画像を透明な材料で形成することから、特許文献１記載の発明のように、光輝性材料層と色材料層が、拡散光が支配的な観察角度領域において同色（近似色）に見えるような適切な面積の疎密差の条件を見極める作業を必要としないため、容易に画線設計ができる。
【００３２】
本発明は、第２の画像を透明な材料で形成することから、特許文献１記載の発明のように、拡散光が支配的な観察角度領域における第１の画像の観察において、第２の画像が若干見えてしまうこともなく、正反射光が支配的な観察角度領域においては印刷された第１の画像から印刷された第２の画像へ明瞭に画像がスイッチする。
【００３３】
また、本発明と同じような印刷画像のスイッチ効果を得られる情報担持体として特許文献３があり、第１の画像がL＊a＊b＊表色系でL＊が９０以上の淡い印刷画像であれば、第２の印刷画像が支配的に視認されるが、本発明の構成では、第１の印刷画像は、正反射が支配的な観察角度において自ら消失するので、第２の画像がより鮮明に視認されることを特徴とする。
【発明を実施するための最良の形態】
【００３４】
本発明の実施形態について図面を用いて説明する。しかしながら、本発明は、以下に述べる実施するための最良の形態に限定されるものではなく、特許請求の範囲記載における技術的思想の範囲内であれば、その他のいろいろな形態が実施可能である。
【００３５】
図１は、本発明の偽造防止用情報担持体（１）を示す図であり、基材（２）である白色用紙上の印刷画像（３）の領域に、光輝性材料によって図２に示す第１の画像（４）が形成され、印刷画像（３）の領域の第１の画像（４）上に虹彩色パール顔料を含む透明インキによって図３に示す第２の画像（５）が積層されており、観察する角度を拡散光領域から正反射光領域に変化することによって印刷画像（３）が第１の画像（４）から第２の画像（５）へ変化する情報担持体（１）である。
【００３６】
偽造防止用情報担持体（１）の印刷画像（３）が観察する角度によって変化する原理を説明するにあたり、まずは、第１の画像（４）のみが印刷された情報担持体、第２の画像（５）のみが印刷された情報担持体について、視認する観察角度領域による画像の変化を簡単に説明する。
【００３７】
図７は、情報担持体（１）と、光源（１０）と、観察者の視点（１１）の位置関係を示す図である。例えば、情報担持体（１）の印刷画像（３）側表面に対し、−４５°から光が入射したときに、観察する視点の角度を−２０°から８０°まで変化させると、観察角度領域は、拡散光領域から正反射光領域となり、また、拡散光領域となる。
【００３８】
そこで、本明細書においては、受光角度−２０°〜０°の拡散反射光が支配的な観察角度領域を「観察角度Ａ」、受光角度４５°±５°の正反射光が支配的な観察角度領域を「観察角度Ｃ」、「観察角度Ａ」と「観察角度Ｃ」を除いた拡散反射光と正反射光が混在する観察角度領域を「観察角度Ｂ」と定義する。それぞれの観察角度領域を模式的に図に示すと図７の通りとなる。「観察角度Ｂ」の観察角度領域は、印刷画像（３）の構成によっても異なるが、２０°±２０°及び７０°±２０°の範囲内にある。
【００３９】
基材（２）は、用紙に限定するものではなく、上質紙、コート紙、プラスチックカード等の印刷画像を担持できる平面を有していればよく、基材色も白色に限定されるものではない。
【００４０】
本明細書では、基材上の一定面積の印刷画像に、第１の画像（４）及び第２の画像（５）を形成する工程において、下地を被覆しうる割合を％で表した条件を面積率として説明する。
【００４１】
図２は、第１の画像（４）であり、基材（２）である白色用紙上の印刷画像（３）の領域に、光輝性材料で形成されており、一般的なUV乾燥型オフセットインキである金属光沢インキ「Ｔ＆Ｋ  ＴＯＫＡ  ＵＶ  ＮＯ３  シルバー」を用いてＵＶ乾燥方式のウェットオフセット印刷で形成する。
【００４２】
第１の画像（４）は、画像部（６）と背景部（７）とで構成されており、画像部（６）は面積率１００％、背景部（７）は面積率５０％で形成され、画像部（６）と背景部（７）の面積率の差異を設けることで「鳳凰」画像（商標登録番号：３０４２１０１号）を形成している。
【００４３】
第１の印刷画像で用いられる光輝性材料は、前述の金属光沢インキに限定されるものではなく、銀色、青味金色あるいは赤味金色を示すアルミニウム粉末、銅粉末、亜鉛粉、錫粉、リン化鉄などを成分とするいずれかの光輝性材料を含むインキであればよい。
【００４４】
前述の光輝性材料で形成された第１の画像（４）のみを観察角度Ａで観察した場合、図２に示すような「灰色の鳳凰」画像が視認されるが、観察角度Ｃで観察した場合、図４に示すように「鳳凰」画像は消失し、「銀色の六角形」画像となる。
【００４５】
これは、光輝性材料を用いることによって、基材に対する面積率の異なる、すなわち、基材上に適切な面積率の疎密差を持つ二つの光輝性材料層が形成されているとき、拡散光領域（観察角度Ａ）においては、適切な面積率の疎密差を持つ画像部と背景部における二つの光輝性材料層の両者から観察者の目に到達する反射光量は、互いに小さくなるため、視覚的に、面積率の疎密差によるところの色調差、すなわち濃淡差を容易に認識することが可能になる。一方、正反射光領域（観察角度Ｃ）では、二つの光輝性材料層には、面積率の疎密差が存在しているにも関わらず、二つの光輝性材料層の両者から観察者の目に到達する反射光量が共に極端に大きくなるため、面積率の疎密差によるところの色調差、すなわち濃淡差を視認することが難しくなると言う効果による。
【００４６】
次に、図３に示す第２の画像（５）のみを、基材（２）である白色用紙上の印刷画像（３）の領域に印刷した場合について説明する。
【００４７】
第２の画像（５）は、カラーフリップフロップ性を備えた透明インキで形成されており、表１に示す虹彩色パール顔料を含む透明インキを用いてＵＶ乾燥方式のスクリーン印刷で形成した。表１の虹彩色パール顔料は、拡散光領域（観察角度Ａ）では無色透明だが、正反射光領域（観察角度Ｃ）では金色の干渉色を発現する顔料を選択している。第２の画像（５）は、画像部（８）と背景部（９）とで構成されており、画像部（８）は、面積率１００％のベタ画像で形成され、背景部（９）は、画線幅０．２ｍｍ、非画線幅０．２ｍｍの万線構造とすることで、面積率５０％で形成し、画像部（８）と背景部（９）の面積率の差異を設けることで、「印字入り鳳凰」画像を形成している。
【００４８】
（表１）
虹彩色パールインキ（第２の画像に使用）
スクリーン用メジューム
（UV  TUB−０００帝国インキ製造株式会社製）                    ８４重量部
虹彩色パール顔料（金色）    
（イリオジン２０１  メルク社製）                                １５重量部
消泡剤                                      
（SC５５４０  東レ・ダウコーニング株式会社製）                    １重量部
【００４９】
カラーフリップフロップ性とは、一般的なグロスインキや金インキ、銀インキ等が有する、光を反射した場合に明度のみが変化する明暗フリップフロップ性とは異なり、光を反射した場合に明度だけでなく、色相や彩度が大きく変化する効果のことである。
【００５０】
前述のカラーフリップフロップ性を備えた透明インキで形成された第２の画像（５）のみを観察角度Ａで観察した場合、図５に示すように透明であるが、観察角度Ｃで観察した場合、図３に示すように、「印字入り鳳凰」画像が視認される。
【００５１】
これは、カラーフリップフロップ性を備えた透明インキが、透明なスクリーン用メジュームや白色の虹彩色パール顔料から構成されているため、基材に対する面積率の異なる、すなわち、基材上に適切な面積率の疎密差を持つカラーフリップフロップ性を備えた二つの透明インキの領域である画像部と背景部が形成されているとき、拡散光領域（観察角度Ａ）において、適切な面積率の疎密差を持つ画像部と背景部のカラーフリップフロップ性を備えた二つの透明インキの領域は、共に透明に視認されるため、視覚的に、面積率の疎密差によるところの色調差、すなわち濃淡差を視認できないため、図５に示すように、第２の画像（５）である「印字入り鳳凰」画像は視認できず、印刷画像（３）の領域においては「下地の基材色」が支配的に視認される。
【００５２】
一方、正反射光領域（観察角度Ｃ）の観察においては、カラーフリップフロップ性を備えた二つの透明インキの領域は、共にカラーフリップフロップ性を備えた透明インキに含まれる虹彩色パール顔料の干渉効果によって金色を発するため、視覚的に、面積率の疎密差によるところの色調差、すなわち濃淡差を容易に認識することが可能になり、図３に示すような第２の画像（５）である「金色の印字入り鳳凰」画像が視認される。
【００５３】
本発明の情報担持体（１）は、基材（２）である白色用紙上の印刷画像（３）の領域に、第１の画像（４）を金属光沢インキ「Ｔ＆Ｋ  ＴＯＫＡ  ＵＶ  ＮＯ３  シルバー」を用いてウェットオフセット印刷方式で形成したのち、第1の画像（４）の上に、第２の画像（５）を表１に示した虹彩色パール顔料を含む透明インキを用いて、ＵＶ乾燥型スクリーン印刷方式で重ねて形成したものである。
【００５４】
第１の印刷画像（４）と第２の印刷画像（５）が視認又は消失する効果を個別に表すと、図６のようになる。第１の画像は、図７の観察角度Ａにおいては、画像部（６）と背景部（７）の面積率の差によって「灰色の鳳凰」画像が視認され、観察角度Ｃにおいては、「銀色の六角形」画像となるのに対し、第２の画像（５）は、観察角度Ａにおいては、透明であるため「下地の基材色」が視認され、観察角度Ｃにおいては、画像部（８）と背景部（９）の面積率の差によって「金色の印字入り鳳凰」画像が視認される。よって、第１の印刷画像（４）の上に、第２の印刷画像（５）を重ねて本発明の情報担持体（１）を作製した場合、観察角度Ａにおいては、第１の印刷画像（４）である「灰色の鳳凰」画像が視認され、観察角度Ｃにおいては、第２の印刷画像（５）である「金色の印字入り鳳凰」画像が視認されることとなる。
【００５５】
第１の画像（４）を形成する画像部（６）と背景部（７）の面積率の差が適切でない場合、拡散光領域（観察角度Ａ）の観察において、第１の画像（４）の画像部（６）と背景部（７）が目視上での見分けが困難となったり、正反射光領域（観察角度Ｃ）の観察において、第１の画像（４）が第２の画像（５）とまざりあって出現することから、第１の画像（４）と第２の画像（５）の明瞭なスイッチ効果を実現するためには、使用するインキに応じて、第１の画像（４）を適切な面積率の範囲で画像部（６）と背景部（７）で差異を設けて形成する必要がある。
【００５６】
これは、情報担持体（１）の印刷画像（３）を、図８（ａ）に示す金属光沢インキ面積率１００％の画像の上に、虹彩色パール顔料を含む透明インキが面積率５０％で重なって形成された画像要素１と、図８（ｂ）に示す金属光沢インキ面積率５０％の画像の上に、虹彩色パール顔料を含む透明インキが面積率５０％で重なって形成された画像要素２と、図８（ｃ）に示す金属光沢インキ面積率５０％の画像の上に、虹彩色パール顔料を含む透明インキが面積率１００％で重なって形成された画像要素３と、図８（ｄ）に示す金属光沢インキ面積率１００％の画像の上に、虹彩色パール顔料を含む透明インキが面積率１００％で重なって形成された画像要素４と、四つの画像領域に分割し、図７に示した拡散光領域を示す観察角度Ａ及び正反射光領域を示す観察角度Ｃにおける画像要素１を基準値としたときの各画像要素の色差ΔＥを示す図９から説明することができる。
【００５７】
画像要素１から画像要素４と同一の層構造を成す５０ｍｍ×５０ｍｍの四つの測定用パッチを作製し、各画像要素に対して光源１０から入射角度４５°で光を照射し、受光角度−２０°から８０°におけるＬ*ａ*ｂ*を測定し、画像要素１を基準としたときの画像要素２、画像要素３、画像要素４の色差ΔＥを比較したグラフが、図９の折れ線（１２−２）、折れ線（１２−３）、折れ線（１２−４）である。測定装置は、変角分光測色システムＧＣＭＳ−４型〔村上色彩技術研究所製〕を使用して測定した。
【００５８】
図９において、ΔＥの値が小さいほど画像要素１と見分けにくいため、目視上、画像要素１と同じ色と視認され、ΔＥの値が大きいほど画像要素１と見分けやすくなるため、目視上、画像要素１とは異なる色と視認されることを示している。画像要素２を示すデータは折れ線（１２−２）であり、画像要素３を示すデータは折れ線（１２−３）であり、画像要素４を示すデータは折れ線（１２−４）である。
【００５９】
（拡散光領域の観察）
図９の色差ΔＥのグラフの受光角度−２０°〜０°の拡散光領域においては、基準となる画像要素１に対して、画像要素２の折れ線１２−２の色差ΔＥが９程度、画像要素３の１２−３の折れ線の色差ΔＥが７程度であるため、画像要素１とは異なる色として視認されるのに対し、画像要素４の折れ線１２−４の色差ΔＥが１程度と低く、画像要素１と同程度に視認されているのがわかる。このことから、画像要素１と画像要素４は、上層の虹彩色パール顔料を含む透明インキの面積率差異に関係なく、金属光沢インキ面積率１００％の第１の画像（４）の画像部（６）として同程度に視認されるのに対し、画像要素２と画像要素３は、上層の虹彩色パール顔料を含む透明インキの面積率差異に関係なく、金属光沢インキ面積率５０％の第１の画像（４）の背景部（７）として同程度に視認されることがわかる。
【００６０】
（正反射光領域の観察）
それに対し、図９の色差ΔＥのグラフの受光角度４０°〜５０°の正反射光領域においては、基準となる画像要素１に対して、画像要素２の折れ線１２−２の色差ΔEが２０程度なのに対し、画像要素３の色差ΔＥの折れ線１２−３が１２０程度、画像要素４の色差ΔＥの折れ線１２−４が１００程度と大きな値を示していることから、画像要素３及び画像要素４は、画像要素１とは大きく異なる色相として視認されるため、画像要素２は画像要素１に比較的近い色として視認される。このことから、正反射光領域の観察において、画像要素３と画像要素４は、下層の金属光沢インキ面積率の面積率の差異に関係なく、上層の虹彩色パール顔料を含む透明インキの面積率１００％の第２の画像（５）の画像部（８）として視認されるのに対し、画像要素１と画像要素２は、下層の金属光沢インキ面積率の面積率の差異に関係なく上層の虹彩色パール顔料を含む透明インキの面積率５０％の第２の画像（５）の背景部（９）として視認されることがわかる。
【００６１】
すなわち、情報担持体（１）は、四つの画像要素によって図２及び図３に示すような二つの潜像画像が形成されており、具体的には、第１の画像（４）は、画像要素１と画像要素４から成る画像部（６）と、画像要素２と画像要素３から成る背景部（７）から構成され、拡散光領域の観察（観察角度Ａ）においては、画像要素１と画像要素４が画像部（６）として同程度に視認されるのに対し、画像要素２と画像要素３は、異なる色として視認されることから背景部（７）として視認される。
【００６２】
一方、第２の画像（５）は、画像要素３と画像要素４から成る第２の画像（５）の画像部（８）と、画像要素１と画像要素２から成る第２の画像（５）の背景部（９）から構成され、正反射光領域の観察（観察角度Ｃ）においては、画像要素１と画像要素２が同程度に視認されるのに対し、画像要素３と画像要素４は、異なる色として視認されることから、第２の画像（５）として視認されるのである。よって、本発明の情報担持体（１）は、四つの画像要素の観察角度領域における視認性がそれぞれ異なるため、観察角度によって画像が変化するものであり、拡散光領域の観察（観察角度Ａ）においては、第一の画像が正反射光領域の観察（観察角度Ｃ）においては第二の画像が、観察者には支配的に視認されるものである。
【００６３】
図１０（ａ）及び図１０（ｂ）は、本発明の情報担持体（１）を、通常のオフィスに準じる多光源下の観察環境で目視上の第１の画像（４）と第２の画像（５）のスイッチ効果を確認した結果である。図１０（ａ）は、本発明の情報担持体（１）を天井の照明にかざさない状態で観察した場合の目視される画像を図示したものであり、第１の画像（４）は、「灰色の鳳凰」画像としてはっきりと認識できた。図１０（ｂ）は、本発明の情報担持体（１）を、天井の照明にかざした状態で、印刷画像（３）が正反射角度の光を反射する観察状況を作り出した場合に目視される画像を図示したものであり、第２の画像（５）のみが認識できた。図１０（ｂ）における黒色の部分は、実際には虹彩色パール顔料の干渉色である金色で視認される部分であり「金色の印字入り鳳凰」画像が視認された。以上の結果から、本発明の情報担持体（１）が、観察角度の違いに応じて第１の画像（４）と第２の画像（５）の明瞭なスイッチ効果を発揮することが確認できるとともに、第２の画像（５）については、パールの干渉色で表現されることも確認できた。
【００６４】
第２の画像（４）を形成するために使用するパール顔料については、無色又は基材色であれば、虹彩色パール顔料、鱗片状顔料、鱗片状マイカ、鱗片状金属顔料、ガラスフレーク顔料、コレステリック液晶顔料等を用いても良い。パール顔料の粒子の大きさは、使用する印刷方式に応じて選択するものであるが、好ましくは１〜５０μmであって、平均粒径は１０〜１５μm程度が好ましい。このように、いずれのパール顔料を用いても良いが、より鱗片状顔料の配向性（リーフィング効果）を向上させるためには、１０μｍ〜１５０μｍの盛り上がりを有する画像の表面で顔料が配向するような処理を施すことが好ましい。具体的には、例えば特開２００１−１０６９３７号公報に記載されたような撥水及び撥油性処理等の顔料の表面処理を行うことで、印刷部の画線表面で顔料を配向させることができ、正反射光によるパールの干渉色をより鮮やかに出現させることが可能となる。
【００６５】
また、本実施の形態においては、高い色彩変化の効果を引き出すために、比較的粒子径の大きなパール顔料を使用したことから、スクリーン印刷方式で第２の画像を形成しているが、近年、粒子径の小さいパール顔料も開発されているため、画線や画像に盛り上がりがなくとも干渉光を出現させるインキであれば、画線や画像に盛り上がりは必須ではない。
第２の画像は、充分なパール効果を有し、画像化できることを条件として、フレキソ印刷方式やグラビア印刷方式、オフセット印刷方式、凹版印刷方式等でも実施可能である。また、第１の画像は、オフセット印刷方式で形成しているが、フレキソ印刷方式やグラビア印刷方式、凹版印刷方式等でも実施可能である。
【実施例】
【００６６】
（実施例１）
図１１は、本発明の実施例１における情報担持体（１´）を示した図である。
本実施例においては、第１の画像を単純な二値画像ではなく、表現豊かな多階調画像にする例について説明する。
図１２に示す第１の画像（４´）と図１３に示した第２の画像（５´）を用いて、情報担持体（１´）の印刷画像（３´）を形成する。第１の画像（４´）の各面積率は、「蝶」画像を形成する画像部（６´）の面積率を１００％〜６０％とし、背景部（７´）の面積率は５０％とし、構成する光輝性材料については、最良の形態で使用したインキと同一の金属光沢インキ「Ｔ＆Ｋ  ＴＯＫＡ  ＵＶ  ＮＯ３  シルバー」を用いた。
【００６７】
図１３に示す第２の画像（５´）は、「ＮＰＢ」（Ｎａｔｉｏｎａｌ  Ｐｒｉｎｔｉｎｇ  Ｂｕｒｅａｕの略）の文字を形成する画像部（８´）の面積率を１００％とし、それ以外の背景部（９´）はピッチ０．４ｍｍで０．２ｍｍの画線を連続して配することで面積率を５０％に形成している。表１に示す配合の虹彩色パール顔料を含んだ透明インキで、同様に第１の画像（４´）上に重ねてＵＶ乾燥型スクリーン印刷方式で形成した。
【００６８】
本実施例において、形成した情報担持体（１´）の目視での効果について、同じく図１２、図１３を用いて説明する。図１２は、拡散反射光が支配的な観察角度領域（観察角度Ａ）で情報担持体（１´）の印刷画像（３´）を観察した場合に、目視上で視認される画像であり、第１の画像（４´）は、金属光沢インキで形成されていることから、「階調表現豊かな灰色の蝶」画像として第１の画像（４´）が図１２のように視認される。図１３は、正反射光が支配的な観察角度領域（観察角度Ｃ）で情報担持体（１´）の印刷画像（３´）を観察した場合に、目視上視認される画像であり、実際には虹彩色パールの干渉色である金色のため、「金色のＮＰＢ」画像として第２の画像（４´）が視認される。
【００６９】
本発明の情報担持体の印刷画像が、良好な画像のスイッチ性を得るためには、第１の画像と第２の印刷画像は、同じ印刷画像の領域に積層されていることが好ましい。また、第１の画像が５０％以上１００％以下の面積率で印刷されており、かつ、第２の画像が５０％以上の面積率で印刷されていなければならず、より好適には、第１の画像の画像部と、背景部の面積率の差が、１０％以上５０％以下の条件であることが望ましい。
【００７０】
また、実施例１では、第１の画像の画像部を１００％〜６０％の範囲内で表現された階調画像としているが、画像部の領域と背景部の領域を分割する必要はなく、例えば、第１の画像全域を面積率１００％〜５０％の範囲で表現された階調画像としても、同様の効果が得ることができる。
【００７１】
（実施例２）
図１４は、本発明の実施例２における情報担持体（１´´）を示した図である。
第１の画像は、最良の形態と同じ構成であるが、第２の画像を異なる干渉色を有する２種類のインキで形成することで、正反射光が支配的な観察角度領域（観察角度Ｃ）で色相豊かな第２の画像を視認させる例について説明する。
【００７２】
図１５に示す第１の画像（４´´）と、図１６に示した第２の画像（５´´）を用いて、情報担持体（１´´）の印刷画像（３´´）を形成する。第１の画像（４´´）の画像部（６´´）と背景部（７´´）の構成は、画像部（６´´）の面積率を１００％とし、背景部（７´´）の面積率は２５％とし、構成する光輝性材料については、最良の形態で使用したインキと同一の金属光沢インキ「Ｔ＆Ｋ  ＴＯＫＡ  ＵＶ  ＮＯ３  シルバー」を用いた。
【００７３】
図１６に示す第２の画像（５´´）は、画像部（８´´）、背景部（９´´）共に面積率１００％で同一だが、画像部（８´´）と背景部（９´´）で異なる干渉色を有する二つの透明インキを用いて形成する。すなわち、図１７（ａ）に示す第２の画像（５´´）の背景部（９´´）を、表２に示す配合の虹彩色パール顔料を含んだ透明インキで第１の画像（４´´）上に重ねてＵＶ乾燥型スクリーン印刷方式で形成し、図１７（ｂ）に示す第２の画像（５´´）の画像部（８´´）は、表１に示す配合の虹彩色パール顔料を含んだ透明インキで、同様に第１の画像（４´´）上に重ねてＵＶ乾燥型スクリーン印刷方式で形成した。それぞれの透明インキの面積率は１００％のベタ画像である。
【００７４】
（表２）
虹彩色パールインキ
スクリーン用メジューム
（UV  TUB−０００帝国インキ製造株式会社製）                    ８４重量部
虹彩色パール顔料（赤色）    
（イリオジン２１１  メルク社製）                                １５重量部
消泡剤                                      
（SC５５４０  東レ・ダウコーニング株式会社製）                    １重量部
【００７５】
本実施例において、形成した情報担持体（１´´）の目視での効果について、図１８（ａ）及び図１８（ｂ）を用いて説明する。図１８（ａ）は、拡散反射光が支配的な観察角度領域（観察角度Ａ）で情報担持体（１´´）の印刷画像（３´´）を観察した場合に、目視上で視認される画像であり、第１の画像（４´´）は、金属光沢インキで形成されていることから、「灰色の鳳凰」画像として第１の画像（４´´）が図１８（ａ）のように視認される。図１８（ｂ）は、正反射光が支配的な観察角度領域（観察角度Ｃ）で情報担持体（１´´）の印刷画像（３´´）を観察した場合に、目視上視認される画像であり、鮮やかな色相を有した第２の画像（５´´）が視認される。図１８（ｂ）において黒色で示している部分は、実際には虹彩色パールの干渉色が金色であり、図１８（ｂ）において白色で示している部分は、実際にはパールの干渉色が赤色であるため、「赤色の背景に金色の印字入り鳳凰」画像が視認される。
【００７６】
本実施例のように、第２の画像の画像部及び背景部を形成する２種類の透明インキを完全なベタ（面積率１００％）としたときには、正反射光が支配的な観察角度領域（観察角度Ｃ）で第２の画像が極めて強い干渉効果で発現する。よって、第１の画像の面積率の差異を比較的大きな値（面積率差７５％）としても、正反射光が支配的な観察角度領域（観察角度Ｃ）では、強いコントラストをもって可視化した第２の画像によって隠蔽され、第１の画像が視認されてしまうこともなく、十分なスイッチ効果が発揮される。拡散光が支配的な観察角度領域（Ａ）における第１の画像の視認性を考慮すると、第１の画像の画像部と、背景部の面積率の差は、２５％〜７５％の範囲内で良好な画像のスイッチ効果が観察される。
【図面の簡単な説明】
【００７７】
【図１】本発明の最良の形態における情報担持体（１）を示す図である。
【図２】本発明の最良の形態における第１の画像（４）を示す図である。
【図３】本発明の最良の形態における第２の画像（５）を示す図である。
【図４】第１の画像（４）のみを印刷した情報担持体を正反射光領域で観察したときの視認図である。
【図５】第２の画像（５）のみを印刷した情報担持体を拡散光領域で観察したときの視認図である。
【図６】本発明の最良の形態において、観察角度Ａ及び観察角度Ｃにおける第１の画像（４）の観察図と第２の画像（５）の観察図を重ね合せて説明する図である。
【図７】情報担持体と光源と観察者の視点との位置関係による三つの観察領域を示す図である。
【図８】（ａ）は、情報担持体（１）の印刷画像（３）を形成する四つの画像要素のうち、面積率１００％の第１の画像の上に、面積率５０％の第２の画像が積層された画像要素１を示す。（ｂ）は、情報担持体（１）の印刷画像（３）を形成する四つの画像要素のうち、面積率５０％の第１の画像の上に、面積率５０％の第２の画像が積層された画像要素２を示す。（ｃ）は、情報担持体（１）の印刷画像（３）を形成する四つの画像要素のうち、面積率５０％の第１の画像の上に、面積率１００％の第２の画像が積層された画像要素３を示す。（ｄ）は、情報担持体（１）の印刷画像（３）を形成する四つの画像要素のうち、面積率１００％の第１の画像の上に、面積率１００％の第２の画像が積層された画像要素４を示す。
【図９】本発明の最良の形態において、情報担持体（１）を形成する四つの画像要素のうち、図８（ａ）の画像要素１を基準とした場合の画像要素２、画像要素３、画像要素４の色差ΔEの変化を示すグラフである。
【図１０】情報担持体（１）を通常のオフィスに準じる多光源下の観察環境で目視上の第１の画像（４）と第２の画像（５）のスイッチ効果を確認した結果を示す図である。
【図１１】本発明の実施例１における情報担持体（１´）を示す図である。
【図１２】本発明の実施例１における第１の画像（４´）を示す図である。
【図１３】本発明の実施例１における第２の画像（５´）を示す図である。
【図１４】本発明の実施例２における情報担持体（１´´）を示す図である。
【図１５】本発明の実施例２における第１の画像（４´´）を示す図である。
【図１６】本発明の実施例２における第２の画像（５´´）を示す図である。
【図１７】（ａ）は、表１に示す透明インキで印刷された第２の画像（５´´）の画像部（８´´）を示し、（ｂ）は、表２に示す透明インキで印刷された第２の画像（５´´）の背景部（９´´）を示す図である。
【図１８】情報担持体（１´´）を通常のオフィスに準じる多光源下の観察環境で目視上の第１の画像（４´´）と第２の画像（５´´）のスイッチ効果を確認した結果を示す図である。
【符号の説明】
【００７８】
１          情報担持体
２          基材
３          印刷画像
４          第１の画像
５          第２の画像
６          第１の画像の画像部
７          第１の画像の背景部
８          第２の画像の画像部
９          第２の画像の背景部
１０        光源
１１        観察者
１２−２    画像要素１を基準としたときの画像要素２の色差ΔＥを示す折れ線
１２−３    画像要素１を基準としたときの画像要素３の色差ΔＥを示す折れ線
１２−４    画像要素１を基準としたときの画像要素４の色差ΔＥを示す折れ線
【図１】
2010017925.tif 000003
【図２】
2010017925.tif 000004
【図３】
2010017925.tif 000005
【図４】
2010017925.tif 000006
【図５】
2010017925.tif 000007
【図６】
2010017925.tif 000008
【図７】
2010017925.tif 000009
【図８】
2010017925.tif 000010
【図９】
2010017925.tif 000011
【図１０】
2010017925.tif 000012
【図１１】
2010017925.tif 000013
【図１２】
2010017925.tif 000014
【図１３】
2010017925.tif 000015
【図１４】
2010017925.tif 000016
【図１５】
2010017925.tif 000017
【図１６】
2010017925.tif 000018
【図１７】
2010017925.tif 000019
【図１８】
2010017925.tif 000020